(57)【要約】      （修正有）【課題】非常時の状況に応じた避難経路情報表示機能を持つ情報提供システムを提供する。【解決手段】平時の利用に加え、非常時に状況に応じた避難経路情報を提供する事を特徴とするディスプレーなどの表示画面、入力機能と通信機能をもった携帯機器１、情報提供サーバ２、構内通信機器３、情報提供機器４と含む。施設に入った時に施設の機材を利用して、利用者が所有している携帯機器１にメニューを含んだ電子ファイルを取り込む。利用者が取り込んだファイルを参照して目的の場所に移動している途中で、非常事態が発生した場合、携帯端末１は位置情報を情報提供サーバ２に送信する。館内放送や周りの状況から利用者が表示されている画面の非常時メニューで切り替わった画面に表示される画面に従って利用者が避難する。【選択図】図１
0003196435.tif 000002
【実用新案登録請求の範囲】
【請求項１】
ディスプレーなどの表示画面、通信機能と入力機能をもった携帯機器に表示される案内画面において、非常時に状況の応じた経路情報提示を可能にするメニューを用意した画面の配置。
【考案の詳細な説明】
【技術分野】
【０００１】
本考案は、非常時と平時において建物・施設内外における経路案内表示に関するものである。
【背景技術】
【０００２】
ディスプレーなどの表示画面、通信機能と入力機能をもった携帯機器は、用途にあわせた応用プログラムを用いる事で使い易いインタフェースを提供する。その案内画面には、建物・施設のレイアウト表示や日々の催物の案内などの情報が表示される。利用者はその情報に触れる、カーソルを移動させる事により自分の目的にあった情報を表示する。平時においては、それぞれの建物・施設や催物の主催者が必要とする情報や、利用者が目的地に移動するために地図や建物内のレイアウトを表示することで十分であった。
【０００３】
しかし、火災や地震などの非常事態が発生した時は、建物・施設から多くの人が安全に効率よく避難する事が求められる。多くの人は、消防法に基づく非常口を示すピクトグラムや周りの職員・店員の指示を手がかりに避難する。この方法では、ピクトグラムをみる事ができない場所や状況や事態によっては予め用意された防災マニュアルにそった経路とは異なった経路で避難する事が望ましい事態に対処できない。
【０００４】
この改善策として、携帯端末装置に誘導方向を示すマークのかわりに避難すべき向きを直感的に提示する方法や通信機能を備えた屋外誘導灯を設ける方法がある。
【先行技術文献】
【特許文献】
【０００５】
【特許文献１】特許公開２０１４‐１４２７５８
【特許文献２】特許公開２０１４‐８５７５６
【非特許文献】
【０００６】
【非特許文献１】T. Wada, T. Takahashi: Evacuation guidance systemusing everyday use smartphone, 2013 International Conference on Signal-ImageTechnology & Internet-Based Systems, Dec. PP.860--864, DOI10.1109/SITIS.2013.140
【考案の概要】
【考案が解決しようとする課題】
【０００７】
解決しようとする問題点は、非常時だけしか使用しない道具や操作方法の機能を十分に活用するには、常日頃その操作を訓練する必要がある、手元に十分な数を用意しておく事が必要になる。
【課題を解決するための手段】
【０００８】
本考案は、非常事態発生時に個人が持ち歩いている携帯機器に表示されている施設案内のメニューを選択、または通信を介して、建物・施設の管理責任者が予め用意している非常時の誘導情報をまず提示する。さらに日頃使いなれた操作方法で目的にあった情報を入手できるため、多くの人に非常時にその状況にあった適切な情報を提供できる事を、主要な特徴とする。
【考案の効果】
【０００９】
本考案のメニュー表示は、個人が持ち歩いている携帯機器に施設管理者、催事実行者が提供する案内メニューにおいて、火災や地震などの自然災害や事故などの非常時に状況に応じた情報を提供する事で、施設整備をすることなく円滑な避難や救助活動を支援できる利点がある。
【図面の簡単な説明】
【００１０】
【図１】図１はメニュー表示の実施方法を示した説明図である。（実施例１）
【図２】図２は利用者のいる位置に応じてメニュー表示が異なる事を示した説明図である。（実施例２）
【考案を実施するための形態】
【００１１】
非常口のピクトグラムや文字のメニューを表示する画面と、それに非常時の一連の経路情報を提供するソフトウェアから実現する。
【実施例１】
【００１２】
図１は本考案の１実施例であって、aは施設を利用する前に関連のサーバから入手する又は施設に入った時に施設の機材を利用して、利用者が所有している携帯機器にメニューを含んだ電子ファイルを取り込む例を示す。bは、利用者が取り込んだファイルを参照して目的の場所に移動している途中で、非常事態が発生した状況を示す。cは、館内放送や周りの状況から利用者が表示されている画面の非常時メニューで画面を切り替る状態を示す。dは切り替わった画面に表示される画面に従って利用者が避難する様子をしめす。1から4はaからdの状況において使用される機器で、1は利用者が所持している携帯機器、２はサーバ機器、３は構内通信機器、４は携帯機器へのデータを提供する装置を示す。
【００１３】
図２はメニュー表示の例であって、aは平時の画面におけるメニュー表示の例、bは予め用意された非常時のマニュアルなどによって指定された避難経路の表示例、cは図１の２と３にあるデータ、プログラムで非常時の通知、dは状況に応じて変更された経路表示例を示す。本考案の主体は非常時案内切り替えをもつメニュー表示にあるので、避難経路の変更方法、通信機器を利用した室内の位置推定方法の説明は省略する。
【００１４】
一般に情報機器画面は他の画面に移動する情報を含んだファイルによって実現される。そのファイルはサーバからインターネットなどの通信や設置されている機器を介して情報機器に取り込まれる。そのファイルには表示されているマークなどに触れる事から他の画面へ移動する、指定されたサーバから新しい情報を含んだファイルを取り込むことができる。新しい情報を受け取るにあたって、GPSや周辺の無線状況やカメラ画像などから室内であって位置情報を渡すことができる。
【産業上の利用可能性】
【００１５】
平時に施設の位置、施設内の配置を案内する、催し物を案内するメニューを表示する機器は広く利用されている。そのメニューに非常時表示を付け加え、関連のソフト環境を用意する事は、新規に非常時専用設備を用意するより安価に導入できる。
【図１】
0003196435.tif 000003
【図２】
0003196435.tif 000004
【手続補正書】
【提出日】平成26年12月25日(2014.12.25)
【手続補正１】
【補正対象書類名】実用新案登録請求の範囲
【補正対象項目名】全文
【補正方法】変更
【補正の内容】
【実用新案登録請求の範囲】
【請求項１】
平時の利用に加え、非常時に状況に応じた避難経路情報を提供する事を特徴とするディスプレーなどの表示画面、入力機能と通信機能をもった携帯機器、情報提供サーバ、構内通信機器、情報提供機器と含むシステム
【手続補正２】
【補正対象書類名】明細書
【補正対象項目名】全文
【補正方法】変更
【補正の内容】
【考案の詳細な説明】
【技術分野】
【０００１】
本考案は、非常時と平時において建物・施設内外における経路案内表示に関するものである。
【背景技術】
【０００２】
ディスプレーなどの 表示画面、通信機能と入力機能をもった携帯機器は、用途にあわせた応用プログラムを用いる事で使い易いインタフェースを提供する。その案内画面には、建物・施設のレイアウト表示や日々の催物の案内などの情報が表示される。利用者はその情報に触れる、カーソルを移動させる事により自分の目的にあった情報を 表示する。平時においては、それぞれの建物・施設や催物の主催者が必要とする情報や、利用者が目的地に移動するために地図や建物内のレイアウトを表示することで十分であった。
【０００３】
しかし、火災や地震などの非常事態が発生した時は、建物・施設から多くの人が安全に効率よく避難する事が求められる。多くの人は、消防法に基づく非常口を示すピクトグラム や周りの職員・店員の指示を手がかりに避難する。この方法では、ピクトグラムをみる事ができない場所や状況や事態によっては予め用意された防災マニュアルにそった経路とは異なった経路で避難する事が望ましい事態に対処できない。
【０００４】
この改善策として、携帯端末装置に誘導方向を示すマークのかわりに避難すべき向きを直感的に提示する方法や通信機能を備えた屋外誘導灯を設ける方法がある。
【先行技術文献】
【特許文献】
【０００５】
【特許文献１】特許公開２０１４‐１４２７５８
【特許文献２】特許公開２０１４‐８５７５６
【非特許文献】
【０００６】
【非特許文献１】T. Wada, T. Takahashi: Evacuation guidance systemusing everyday use smartphone, 2013 International Conference on Signal-ImageTechnology & Internet-Based Systems, Dec. PP.860--864, DOI10.1109/SITIS.2013.140
【考案の概要】
【考案が解決しようとする課題】
【０００７】
解決しようとする問題点は、非常時だけしか使用しない道具やその機能を十分に活用するには、常日頃その操作を訓練しておく、手元に十分な数を用意しておく事が必要になる。
【課題を解決するための手段】
【０００８】
本考案は、個人が持ち歩いている携帯機器を使用して非常事態発生時に表示されている画面に、施設案内のメニュー選択、または通信を介して、建物・施設の管理責任者が予め用意している非常時の誘導情報をまず提示し、その後、多くの人に日頃使いなれた操作方法で非常時にその状況にあった適切な情報を提供できる事を、主要な特徴とする。
【考案の効果】
【０００９】
本考案は、個人が持ち歩いている携帯機器に施設管理者、催事実行者が提供する案内メニューを表示するシステムを基本に、火災や地震などの自然災害や事故などの非常時に、その状況に応じた避難情報を提供する事で、新たな施設整備をすることなく円滑な避難や救助活動を支援できる利点がある。
【図面の簡単な説明】
【００１０】
【図１】図１はメニュー表示の実施方法を示した説明図である。（実施例１）
【図２】図２は利用者のいる位置に応じてメニュー表示が異なる事を示した説明図である。（実施例２）
【考案を実施するための形態】
【００１１】
非常口のピクトグラムや文字のメニューや避難経路を表示する画面をもつ携帯機器とその携帯機器に情報を提供する情報提供サーバ、構内通信機器、情報提供機器から実現する。
【実施例１】
【００１２】
図１は本考案の１実施例であって、aは施設を利用する前に関連のサーバから入手する又は施設に入った時に施設の機材を利用して、利用者が所有している携帯機器にメニューを含んだ電子ファイルを取り込む例を示す。bは、利用者が取り込んだファイルを参照して目的の場所に移動している途中で、非常事態が発生した状況を示す。機器に応じて、携帯端末は位置情報を情報提供サーバに送信する。cは、館内放送や周りの状況から利用者が表示されている画面の非常時メニューで画面を切り替る状態を示す。dは切り替わった画面に表示される画面に従って利用者が避難する様子をしめす。1から4はaからdの状況において使用される機器で、1は利用者が所持している携帯機器、２はサーバ機器、３は構内通信機器、４は携帯機器へのデータを提供する装置を示す。
【００１３】
図２は平時の案内画面から非常時の避難経路情報表示の時間的変化の例であって、aは平時の画面におけるメニュー表示の例、bはaの画面に従って表示される目的場所の案内表示、cは図１の２の情報提供サーバに予め用意されている非常時マニュアルなどによって指定された非常時の通知画面例、dは施設管理者が事態を把握しその状況に応じて指示、変更した経路表示例を示す。本考案の主体は平常時非常時の避難経路情報表示切り替えをするシステムにあるので、避難経路の設定方法、通信機器を利用した室内の位置推定方法の説明は省略する。
【００１４】
一般に情報機器画面は他の画面に移動する情報を含んだデータ、ファイルによって実現される。そのデータ、ファイルは情報提供サーバ（図１の２）からインターネットなどの通信や設置されている機器（図１では、２の構内通信機器と３の情報提供機器）を介して情報機器（図１では、１の携帯機器）に取り込まれる。そのファイルには表示されているマークなどに触れる事から他の画面へ移動する、指定された情報提供サーバから新しい情報を含んだファイルを取り込むことができる。新しい情報を受け取るにあたって、GPSや周辺の無線状況やカメラ画像などから室内であって位置情報を渡すことができる。
【産業上の利用可能性】
【００１５】
平時に施設の位置、施設内の配置を案内する、催し物を案内するメニューを表示する携帯機器は広く利用されている。関連機器とともに携帯機器の表示画面に非常時対応の情報を付け加える事は、新規に非常時専用設備を用意するより安価に導入できる。